(57)【要約】【課題】スピーカー部から出力される音楽を複数の同行者で同時に楽しむことができ、しかも、音楽に合わせてＬＥＤ群の発光状態を変化させて視覚的に雰囲気を盛り上げることができるポータブルオーディオシステムを提供する。【解決手段】音源部１と、スピーカー部２とを備えている。スピーカー部２は、スピーカーケース１１と、スピーカーケース１１に組み込まれるスピーカー１２と、スピーカーケース１１を装着するための装着具１３と、スピーカーケース１１に組み込まれる一群のＬＥＤ１４などで構成する。スピーカー部２を装着具１３で上腕部や前腕部などに装着して、音源部１から送給されるオーディオ信号でスピーカー１２を駆動し、同時に一群のＬＥＤ１４を音楽に合わせて明滅させて、視覚的に雰囲気を盛り上げる。【選択図】図１
2008205742.tif 000002
【特許請求の範囲】
【請求項１】
音源部（１）と、音源部（１）から送給されるオーディオ信号で駆動されるスピーカー部（２）とを備えており、
スピーカー部（２）は、スピーカーケース（１１）と、スピーカーケース（１１）に組み込まれるスピーカー（１２）と、スピーカーケース（１１）を使用者の身体に装着するための装着具（１３）と、スピーカーケース（１１）と装着具（１３）の少なくともいずれか一方に組み込まれて、オーディオ信号に応じて明滅制御される一群のＬＥＤ（１４）を光源とする発光構造（１５）とを含んで構成してあるポータブルオーディオシステム。
【請求項２】
発光構造（１５）が、発光色が異なる一群のＬＥＤ（１４）と、一群のＬＥＤ（１４）の発光パターンを制御する制御回路（２１）とを含んで構成されており、
制御回路（２１）が、一群のＬＥＤ（１４）の発光パターンを、オーディオ信号の音階ないしリズムの変化に対応して明滅制御できるように構成してある請求項１記載のポータブルオーディオシステム。
【請求項３】
スピーカーケース（１１）が、容器状のケース本体（１１ａ）と、ケース本体（１１ａ）の開口面を塞ぐケース蓋（１１ｂ）とで構成されており、
ケース本体（１１ａ）の内部に、スピーカー（１２）と、制御回路（２１）および一群のＬＥＤ（１４）が実装された基板（２０）が組み込まれており、
ケース蓋（１１ｂ）に、スピーカー（１２）から出力される音波を送出するための通口（２３）と、各ＬＥＤ（１４）に対応する投光窓（２４）が設けてある請求項１または２記載のポータブルオーディオシステム。
【請求項４】
音源部（１）が、ＩＣレコーダー（５）と、ＩＣレコーダー（５）に組み込まれる２次電池（６）、およびマイクロホン（７）とを含んで構成されており、
ＩＣレコーダー（５）から送給されるオーディオ信号と、マイクロホン（７）から送給される音声信号との一方ないし双方をスピーカー（１２）に送給できる請求項１から３のいずれかに記載のポータブルオーディオシステム。
【発明の詳細な説明】
【技術分野】
【０００１】
本発明は、例えば使用者の身体に装着した状態で携行しながら音楽などを楽しむことができ、さらに音楽に合わせてＬＥＤ群の発光状態を変化させて視覚的に雰囲気を盛り上げることができる、ハンドフリーのポータブルオーディオシステムに関する。
【背景技術】
【０００２】
この種のオーディオシステムとして、ポータブル式のＣＤプレーヤーや、ポータブル式のＩＣプレーヤーなどが広く知られている。この種のオーディオシステムは、プレーヤーで再生した音響信号をイヤフォンやヘッドフォンなどを介して聴く。本発明のポータブルオーディオシステムでは、スピーカー部にオーディオ信号に応じて明滅制御される一群のＬＥＤを組み込むが、この種のスピーカーシステムは特許文献１に公知である。そこでは、オーディオ信号の変化に応じてＬＥＤ群を点滅させ、音楽に合わせてＬＥＤ群の発光状態が変化するようになっている。同様のスピーカーシステムは、特許文献２にも開示してある。ただし、特許文献１、２は、いずれも定置した状態で使用するスピーカーシステムであり、体の一部に装着して携行使用することはできない。
【０００３】
本発明のポータブルオーディオシステムは、スピーカー部を例えば上腕部に装着して携行し、スピーカーを駆動するのと同時に一群のＬＥＤを発光させて、スピーカー部が発光機能を備えた装身具を兼ねるようにするが、このような発光機能を備えた装身具は、例えば特許文献２に公知である。そこでは、複数個の装飾体でネックレスを構成し、ダイヤモンドを模した透明プラスチック材製の装飾体の内部に一群の発光素子（ＬＥＤ）を配置して、一群の発光素子の発光状態を制御プログラムに基づいて明滅制御できるようにしている。
【０００４】
【特許文献１】特開平１１−２５２６７１号公報（段落番号００２８、図２）
【特許文献２】特開平９−２１２１０７号公報（段落番号００１９、図３）
【特許文献３】特開２００２−３１５６１５号公報（段落番号００１９、図２）
【発明の開示】
【発明が解決しようとする課題】
【０００５】
ＣＤプレーヤーや、ＩＣプレーヤーなどのオーディオシステムでは、プレーヤーで再生した音響信号をイヤフォンやヘッドフォンなどを介して聴く。そのため、音楽などを複数人数で同時に聞くことができない。さらに、複数人が同行しているときは、ヘッドフォンなどを外さない限りは、ポータブル式プレーヤーの使用者と他の同行者との間で会話を行うことが困難となる。そのため、同行している仲間の間で、暗黙のうちにポータブル式プレーヤーの使用が嫌がられ、その使用を躊躇する状況が生まれやすい。
【０００６】
本発明の目的は、スピーカー部を例えば上腕部に装着して携行でき、スピーカーを駆動するのと同時に一群のＬＥＤを発光させて、音楽などを複数の同行者で同時に楽しむことができ、しかも、音楽に合わせてＬＥＤ群の発光状態を変化させて視覚的に雰囲気を盛り上げることができ、さらに、ポータブルオーディオシステムを携行している者と他の同行者との間で、自然な会話を行うことができるポータブルオーディオシステムを提供することにある。本発明の目的は、スピーカー部を発光する装飾体として機能させることができ、これによりポータブルオーディオシステムを携行している使用者、および同行者の存在を強調して目立たせることができるポータブルオーディオシステムを提供することにある。
【課題を解決するための手段】
【０００７】
本発明のポータブルオーディオシステムは、音源部１と、音源部１から送給されるオーディオ信号で駆動されるスピーカー部２とを備えている。スピーカー部２は、スピーカーケース１１と、スピーカーケース１１に組み込まれるスピーカー１２と、スピーカーケース１１を使用者の身体に装着するための装着具１３と、スピーカーケース１１と装着具１３の少なくともいずれか一方に組み込まれて、オーディオ信号に応じて明滅制御される一群のＬＥＤ１４を光源とする発光構造１５とを含んで構成する。
【０００８】
発光構造１５は、発光色が異なる一群のＬＥＤ１４と、一群のＬＥＤ１４の発光パターンを制御する制御回路２１とを含んで構成する。制御回路２１は、一群のＬＥＤ１４の発光パターンを、オーディオ信号の音階ないしリズムの変化に対応して明滅制御できるように構成する。
【０００９】
スピーカーケース１１は、容器状のケース本体１１ａと、ケース本体１１ａの開口面を塞ぐケース蓋１１ｂとで構成する。ケース本体１１ａの内部に、スピーカー１２と、制御回路２１および一群のＬＥＤ１４が実装された基板２０を組み込む。ケース蓋１１ｂに、スピーカー１２から出力される音波を送出するための通口２３と、各ＬＥＤ１４に対応する投光窓２４を設ける。
【００１０】
音源部１は、ＩＣレコーダー５と、ＩＣレコーダー５に組み込まれる２次電池６、およびマイクロホン７とを含んで構成する。以て、ＩＣレコーダー５から送給されるオーディオ信号と、マイクロホン７から送給される音声信号との一方ないし双方をスピーカー１２に送給できるようにする。
【発明の効果】
【００１１】
本発明では、音源部１とスピーカー部２とで構成されるポータブルオーディオシステムにおいて、スピーカーケース１１と、スピーカーケース１１に組み込まれるスピーカー１２と、スピーカーケース１１を使用者の身体に装着するための装着具１３と、例えばスピーカーケース１１に組み込まれる一群のＬＥＤ１４などでスピーカー部２を構成して、スピーカー部２を例えば上腕部や前腕部などに装着した状態で携行し、スピーカー１２から出力される音楽などを、直接耳で聞いて楽しめるようにした。
【００１２】
上記のように、使用者の体の一部にスピーカー部２を装着し、そのスピーカー１２から出力される音楽などを直接耳で聞いて楽しめるようにすると、スピーカー１２から出力される音楽を複数の同行者で同時に楽しむことができ、しかも、音楽に合わせて一群のＬＥＤ１４の発光状態を変化させて視覚的に雰囲気を盛り上げることができる。さらに、音楽を再生している状態のままであっても、ポータブルオーディオシステムを携行している者と他の同行者との間で、自然な会話を行って意志の疎通を図ることができる。
【００１３】
発光色が異なる一群のＬＥＤ１４と、一群のＬＥＤ１４の発光パターンを制御する制御回路２１などで発光構造１５を構成し、一群のＬＥＤ１４の発光パターンを、オーディオ信号の音階ないしリズムの変化に対応して明滅させると、耳で音楽を楽しむのと同時に、音楽に合った状態で変化するＬＥＤ１４の発光状態を視覚的に楽しむことができ、全体としてさらに興趣を向上できる。とくにポータブルオーディオシステムを夜間に使用する場合には、一群のＬＥＤ１４から放射される多色の光によって、スピーカー部２を発光する装飾体として機能させることができるので、オーディオシステムを携行している使用者および同行者の存在が際立つこととなり、周囲の目を惹きやすく注目されることとなる。
【００１４】
ケース本体１１ａとケース蓋１１ｂとでスピーカーケース１１を構成し、ケース本体１１ａの内部にスピーカー１２と、制御回路２１および一群のＬＥＤ１４が実装された基板２０を組み込むと、音の発信源と光の放射源とがスピーカーケース１１に集約されるので、スピーカー１２から出力される音と、ＬＥＤ１４の一群から放射される光とのいずれか一方で注意を惹くのと同時に、他方の存在をも認識させることができ、その分だけ周囲の注目を惹きやすく注目を受けやすくなる。また、一群のＬＥＤ１４が実装された基板２０や、スピーカー１２などをスピーカーケース１１に収容するので、スピーカー部２が他物と接触するような場合に、基板２０やスピーカー１２が壊れるのを防止できる。
【００１５】
ＩＣレコーダー５、２次電池６、およびマイクロホン７などで音源部１を構成し、ＩＣレコーダー５から送給されるオーディオ信号と、マイクロホン７から送給される音声信号との一方ないし双方をスピーカー１２に送給できるようにすると、マイクロホン７から入力した音声を音楽とともにスピーカー１２から出力して、カラオケ風に楽しむことができ、あるいはマイクロホン７から入力した音声のみをスピーカー１２から出力して、発声練習に利用できるなど、ポータブルオーディオシステムの楽しみ方を拡大できる。
【発明を実施するための最良の形態】
【００１６】
（実施例）  図１ないし図３は本発明に係るポータブルオーディオシステム（以下単にオーディオシステムと言う）の実施例を示す。図１においてオーディオシステムは、音源部１と、音源部１から送給されるオーディオ信号で駆動されるスピーカー部２と、これら両者を接続する接続コード３とで構成してある。
【００１７】
音源部１は、ＩＣレコーダー５と、ＩＣレコーダー５に組み込まれる２次電池６、およびマイクロホン７などで構成してあり、その前面には、ＩＣレコーダー５の使用状況や作動モードなどを表示するための液晶ディスプレイ８を備えている。図示していないが、ＩＣレコーダー５の外面には、電源のオン・オフ、再生・停止、音量の増・減などを制御する操作部が設けてある。ＩＣレコーダー５の内部には、音楽データや音声データなどを記録するＩＣメモリーが内蔵してある。ＩＣメモリーは、ＳＤカードに代表されるように、ＩＣレコーダー５に対して着脱できる形態のＩＣカードであってもよく、取り出しが不能なＩＣメモリーであってもよい。
【００１８】
図２に示すように、スピーカー部２は、円盤状のスピーカーケース１１と、スピーカーケース１１に組み込まれるスピーカー１２と、スピーカーケース１１を使用者の身体に装着するための装着具１３と、スピーカーケース１１に組み込まれて、音源部１から出力されるオーディオ信号に応じて明滅制御される一群のＬＥＤ１４を光源とする発光構造１５などで構成してある。スピーカーケース１１は、それぞれプラスチック成形品からなる容器状のケース本体１１ａと、ケース本体１１ａの開口面を塞ぐケース蓋１１ｂとで構成されており、ケース本体１１の背面中央に装着具１３を挿通連結するための一対の連結枠１７が形成してある。ケース蓋１１ｂは、ケース本体１１ａに対してビスで締結固定される。
【００１９】
ケース本体１１ａの内部には、スピーカー１２を収容するリング状の区画壁１８と、４個の取付ボス１９が突設してあり、これらの取付ボス１９に基板２０とスピーカー１２が係合固定してある。スピーカー１２はコ−ン型のダイナミックスピーカーからなり、その背面側が先の区画壁１８で密閉されている。基板２０には、一群のＬＥＤ１４の発光パターンを制御する制御回路２１が実装されており、この制御回路２１によって一群のＬＥＤ１４の発光パターンを、オーディオ信号の音階、またはリズムの変化に対応して明滅制御できる。ＬＥＤ１４、基板２０、および制御回路２１によって先の発光構造１５を構成している。
【００２０】
一群のＬＥＤ１４の発光パターンは複数種用意してあり、自律的に、あるいは使用者の好みに応じて変更することができる。基板２０はリング状に形成してあり、その外面側に発光色が異なる一群のＬＥＤ１４が一定間隔おきに実装され、内面側に先の制御回路２１を構成する電子部品が実装してある。この実施例では、赤、青、黄、緑、アンバー、白の各色を発光する６種類のＬＥＤ１４を基板２０に１６個実装した。ケース本体１１ａの周側面には、接続コード３のピンプラグを差し込み連結するためのジャック３０が設けてある。
【００２１】
ケース蓋１１ｂの中央部分には、スピーカー１２から出力される音波を送出するための円形の通口２３が開口され、その周囲に各ＬＥＤ１４に対応する投光窓２４が開口してある。通口２３は通気自在な布地２５で覆われており、全ての投光窓２４はケース蓋１１ｂの内面に固定したリング状の透明な窓板２６で塞いである（図２参照）。ケース蓋１１ｂの外縁には、ＩＣレコーダー５に設けた、再生・停止、音量の増・減、送りスキップ・戻しスキップなどを制御する操作部２７が設けてある。つまり、スピーカー部２は、ＩＣレコーダー５のリモートコントローラーを兼ねている。これらの操作部２７のうち、再生用の操作部２７を押すごとに、一群のＬＥＤ１４の発光パターンを使用者の好みに応じて選択し、変更することができる。
【００２２】
装着具１３は、布地で形成されるベルト１３ａと、ベルト１３ａの一端裏面と、ベルト１３ａの表面とに逢着される雌雄一対の面ファスナー３２ａ・３２ｂとで構成してある。この装着具１３は、雌形の面ファスナー３２ｂに対する雄形の面ファスナー３２ａの止着位置を変更することで、ベルト１３ａの巻き付け長さを任意量に変更調整できる。
【００２３】
以上のように構成したオーディオシステムは、例えば図３（ａ）に示すように音源部１をシャツの胸ポケットに収め、スピーカー部２を装着具１３で上腕部に装着した状態や、図３（ｂ）に示すようにスピーカー部２を装着具１３によって前腕部に装着した状態で携行使用することができる。また、図３（ｃ）に示すようにスピーカー部２をウエストベルトに装着した状態で使用することができ、その場合には、連結枠１７にウエストベルトを通して装着することができる。
【００２４】
以上のように、使用者の体の一部にスピーカー部２を装着した状態で、ＩＣレコーダー５を作動させると、スピーカー１２から出力される音楽を複数の同行者で同時に楽しむことができ、しかも、音楽に合わせてＬＥＤ１４群の発光状態を変化させて視覚的に雰囲気を盛り上げることができる。さらに、音楽を再生している状態のままであっても、オーディオシステムを携行している者と他の同行者との間で、自然な会話を行うことができる。
【００２５】
また、オーディオシステムを夜間に使用する場合には、一群のＬＥＤ１４から放射される多色の光によって、スピーカー部２を発光する装飾体として機能させることができ、これによりオーディオシステムを携行している使用者、および同行者の存在を強調して目立たせることができる。ＩＣレコーダー５を片手で持って音声をマイクロホン７から入力すると、音楽と同時に音声を同時に拡声して、カラオケのように楽しむことができる。もちろん、音楽の再生を停止した状態では、マイクロホン７から入力した音声のみを拡声することもできる。
【００２６】
図４はスピーカー部２の別の実施例を示す。そこでは、想像線で示すように丸筒状にくせ付けされた板ばねと、その外面を覆う布地製のカバー３４とで装着具１３を構成し、カバー３４の外面に一群のＬＥＤ１４を装着するようにした。一群のＬＥＤ１４はフレキシブルプリント基板に実装されて、その外面が透明なカバーで覆ってある。したがって、装着具１３を腕に巻き付け装着する場合に、ＬＥＤ１４群をフレキシブルプリント基板と共に装着具１３の周面に沿って湾曲変形させることができる。
【００２７】
上記の実施例では、スピーカーケース１１を円形に形成したが、その必要はなくスピーカーケース１１は多角形状や楕円状に形成することができる。必要があれば、動物、虫、花などを模した外形形状に形成することができる。音源部１は、ＩＣレコーダー５で構成する以外に、ＣＤプレーヤーや、ＭＤプレーヤーなどの既存のプレーヤーで構成することができる。スピーカー１２としては、より廉価な圧電形のスピーカーを適用することができ、その場合には複数のスピーカー１２を使用して、再生される音楽などをステレオ化できる。装着具１３はベルト状に形成する必要はなく、装着部位に応じてクリップ状に形成することができ、あるいは首に掛けるための紐や鎖を装着具１３とすることができる。
【００２８】
音源部１のオーディオ信号をＦＭ波で送給すると、接続コード３を省略してワイヤレス化できる。
【図面の簡単な説明】
【００２９】
【図１】オーディオシステムの全体正面図である。
【図２】スピーカー部の縦断側面図である。
【図３】スピーカー部の装着例を示す説明図である。
【図４】スピーカー部の別の実施例を示す斜視図である。
【符号の説明】
【００３０】
１  音源部
２  スピーカー部
１１  スピーカーケース
１２  スピーカー
１３  装着具
１４  ＬＥＤ
１５  発光構造
２１  制御回路
【図１】
2008205742.tif 000003
【図２】
2008205742.tif 000004
【図３】
2008205742.tif 000005
【図４】
2008205742.tif 000006